(57)【特許請求の範囲】
【請求項１】
外管と、
この外管内に略同軸状に進退自在に嵌挿された内管と、
この内管の外周面に径方向に突出して設けられたストッパ部と、
前記外管の端部に当接してこの外管の内周面に固定され前記内管を嵌合する略筒状の抜止部、および、前記内管を嵌合しこの内管の前記ストッパ部が当接することにより前記内管を抜け止めする略筒状の固定部を備えた抜止手段と、
この抜止手段の前記抜止部および前記固定部の間に挟持されて前記抜止手段の軸方向の略中央に位置し、前記外管および前記内管間の気密性を保持するシール部材と
を具備したことを特徴とする延長管。
【請求項２】
請求項１記載の延長管と、
この延長管が接続される掃除機本体と
を具備したことを特徴とする電気掃除機。
【発明の詳細な説明】
【０００１】
【発明の属する技術分野】
本発明は、外管内に内管が進退可能に嵌挿された伸縮可能な延長管および電気掃除機に関する。
【０００２】
【従来の技術】
従来、電動送風機を収容した掃除機本体にホースを介して着脱自在に接続されかつ吸込口体を着脱自在に接続する延長管として、図４および図５に示すような外管100内に内管101が進退可能に嵌挿された伸縮可能な構成が知られている。
【０００３】
そして、この図４および図５に示す伸縮可能な延長管102は、内管101の外周面に内管101の進退方向に沿って複数設けられた凹部104，104を設けるとともに、外管100の内管101側の端部に内管101の凹部104に係脱自在に係合するクランプ105を設けている。また、内管101が抜け落ちないように、外管100の内管101側の端部に、外管100内に嵌挿する内管101の端部の外周面に突設した径大部分のストッパ部106が当接する筒状の抜止部107を取り付けている。さらに、この抜止部107のクランプ105より内管101が嵌挿する側の端部に、外管100と抜止部107との間および抜止部107と内管101との間の気密性を保持する環状のシール部材108を設けている。
【０００４】
【発明が解決しようとする課題】
ところで、この図４および図５に示す伸縮可能な延長管102において、例えば内管101を外管100から引き出して最長状態に延ばして掃除する際に、図５に示すように、内管101の先端側が抜止部107を中心として回動するように傾ける力が掛かった場合、内管101を進退可能に嵌合する抜止部107のクリアランスなどにより、抜止部107の両端部の互いに対向する縁107a，107bに内管101の外周面が当接して反対側に隙間109を生じる状態となる。そして、シール部材108が抜止部107の端部に設けられているため、シール部材107と内管101との間に隙間109を生じて気密性が得られなくなるおそれがある。
【０００５】
そこで、内管101と抜止部107との間に隙間109が生じてもこの隙間107を吸収して気密性を保持できるようにシール部材108を肉厚に形成するなどが考えられるが、シール部材108を肉厚することにより内管101とシール部材108との摩擦力が増大し、内管101の進退作業が困難となるとともに、シール部材108の摩耗が早まってすぐに外管100と内管101との嵌合部分の気密性が得られなくなるおそれがある。
【０００６】
本発明は、このような問題点に鑑みなされたもので、内管の進退性が低下することなく内管に傾ける力が掛かっても外管と内管との嵌合部分の気密性が保持される延長管および電気掃除機を提供することを目的とする。
【０００７】
【課題を解決するための手段】
請求項１記載の延長管は、外管と、この外管内に略同軸状に進退自在に嵌挿された内管と、この内管の外周面に径方向に突出して設けられたストッパ部と、前記外管の端部に当接してこの外管の内周面に固定され前記内管を嵌合する略筒状の抜止部、および、前記内管を嵌合しこの内管の前記ストッパ部が当接することにより前記内管を抜け止めする略筒状の固定部を備えた抜止手段と、この抜止手段の前記抜止部および前記固定部の間に挟持されて前記抜止手段の軸方向の略中央に位置し、前記外管および前記内管間の気密性を保持するシール部材とを具備したもので、外管内に略同軸状に進退自在に嵌挿される内管にストッパ部を設け、内管を嵌合しストッパ部が当接することにより内管を抜け止めする外管の端部にて内周面に設けた略筒状の抜止部と、内管を嵌合しこの内管のストッパ部が当接することにより内管を抜け止めする略筒状の固定部の間にて抜止手段の軸方向の略中央に外管および内管間の気密性を保持するシール部材を挟持したため、内管に傾ける力が掛かって外管に対して内管が傾いて抜止手段と内管との間に生じる隙間の寸法は、シール部材の位置する抜止手段の軸方向の中央部分で最も小さくなるので、シール部材の弾性伸縮により吸収する隙間が小さくなり、気密性が保持されるとともに、１つのシール部材で外管と内管との間の気密性が保持される。
【０００８】
請求項２記載の電気掃除機は、請求項１記載の延長管と、この延長管が接続される掃除機本体とを具備したもので、内管が傾いても間隙が小さく容易にシール部材の弾性収縮により吸収して気密性を保持できる請求項１記載の延長管を備えているため、漏れがなく掃除作業性が向上する。
【０００９】
【発明の実施の形態】
以下、本発明の延長管を備えた電気掃除機の実施の一形態を図面を参照して説明する。
【００１０】
図３において、１は電気掃除機本体で、この電気掃除機本体１は、上面を開口した下部ケース2a、および、この下部ケース2aの後部上面を閉塞する上部ケース2bが、前面を含む周縁にバンパ３を挟持して接合されて前側上面部を開口したケース体としての本体ケース２を有し、この本体ケース２に前側上面部の開口を開閉自在に閉塞する蓋体４を回動自在に軸支して形成されている。
【００１１】
そして、本体ケース２は、進行方向の前側下面に図示しない旋回自在の旋回輪が取り付けられ、本体ケース２の後側側面に大径の従動輪６，６が回転自在に設けられ、電気掃除機本体１は旋回輪と従動輪６，６とにて床面上を走行可能となっている。また、本体ケース２の上部には、上下方向に摺動自在のハンドル７が設けられている。
【００１２】
さらに、電気掃除機本体１内には、図示しない電動送風機が後側に配設されているとともに、この電動送風機の吸込側に連通しかつ集塵フィルタを内蔵した上方が開放し蓋体４にて開閉される集塵室が前側に形成されている。そして、電気掃除機本体１の前側には、集塵室に臨んで接続口８が開口形成されている。また、電気掃除機本体１の接続口８の近傍には、電源が供給される一対の電気接点である端子を有した図示しないコネクタ部が設けられている。
【００１３】
一方、10はホースで、このホース10は、可撓なホース本体11と、このホース本体11の一端部に設けられ、電気掃除機本体１の接続口８に着脱自在に差し込み接続される接続管12と、ホース本体11の他端部に設けられた握り管13とにて構成されている。そして、接続管12には、電気掃除機本体１のコネクタ部に着脱自在に接続される図示しない一対の電気接点であるピン端子を有したコネクタ部が設けられている。このコネクタ部は、ホース10に内蔵された図示しない電線に電気的に接続されている。さらに、この電線は、握り管13に設けられた複数のスイッチ14，14を備えた操作手段15を介して、この握り管13の先端部に設けられた図示しない一対の電気接点である端子に電気的に接続されている。さらに、握り管13の先端部には、クランプ16が設けられている。
【００１４】
また、18は吸込口体で、この吸込口体18内には、下面に開口した図示しない吸込口に臨んで回転清掃体が回転自在に支持されているとともに、この回転ブラシを回転駆動するエアタービンが設けられている。そして、この吸込口体18の後部には、吸込口に連通する連結管19が枢着されている。
【００１５】
一方、20は伸縮型の延長管で、この延長管20は、絶縁体例えばナイロンなどの合成樹脂により略円筒形状に成形された略管状の外管21と、同様にナイロンなどの合成樹脂により略円筒形状に成形された略管状の内管22とにて構成されている。なお、内管22は、軽量高強度材料である例えばアルミニウム合金にて形成するなどしてもよい。そして、内管22が外管21内に一端側である前側から進退可能、すなわち軸方向へ摺動自在に嵌合されて、これら外管21および内管22が伸縮自在に接続されている。そして、外管21の後端部が握り管13の先端部に着脱自在に接続され、この接続がクランプ16により保持されるようになっている。また、内管22の進退する方向の先端部である前端部が吸込口体18の連結管19の先端部に着脱自在に接続され、この接続が内管22の先端部の外周面に設けられたクランプ23により保持される。
【００１６】
また、延長管20の内管の先端部近傍には、電気掃除機本体１の後部に設けた図示しない凹状の引掛部に係脱自在に係合する引掛爪部25を有したフック部26が設けられている。
【００１７】
次に、延長管20の構成を図１を参照して詳しく説明する。
【００１８】
外管21の一端部には、ホース10の握り管13に嵌挿される略管状の接続管部31が同軸上に一体的に設けられている。そして、この接続管部31には、先端部外周に握り管13の内周面に密着し気密性が得られるシール部材32が設けられ、外周面に握り管13のクランプ16が係脱自在に係合する引掛凹部33が設けられている。さらに、外管21の接続管部31と反対側である内管22が進退する側の端部の内周面は、若干径大に形成されて位置決め段部34が形成されている。
【００１９】
また、外管21は、内周面に軸方向に沿って位置決め段部34に亘って凹溝状のレール部35が設けられている。さらに、外管21の内管22が進退する側の端部の外周面には、カバー体36が取り付けられ、カバー体36内にはクランプ室37が設けられている。なお、このカバー体36は、クランプ室37に位置して外管21に設けられたねじ孔38に取付手段としてのねじ39が螺合されて取り付けられる。また、このねじ39が取り付けられた部分には、目隠部材40が粘着剤などにて着脱自在に取り付けられている。
【００２０】
そして、クランプ室37には、内管22の外管21に対する進退状態を保持する係合手段としてのクランプ42が配設されている。このクランプ42は、クランプ室37の上方に位置してカバー体36に開口形成された窓部43に臨んで進退可能に配設された操作部44と、この操作部44の操作により外管21に内周面に連通して略四角形状に開口形成された挿通窓45を介して外管21の内周面から進退自在に突出し内管22の外周面に係合する係合ピン部46とを備えている。
【００２１】
そして、操作部44は、下面を開口した略箱状に形成され、上面に球面状の操作凹部48が設けられている。また、操作部44の下面一縁には窓部43の内側縁に係合する係合リブ部49が鍔状に突出形成され、反対側の縁には係合ピン部46を挟み込むように円弧状の挟持凹部50を有した係合片状部51が突出されている。さらに、操作部44の下面側縁には側方に向けてそれぞれ略円柱状に突出する図示しない軸部が設けられ、操作部44は、クランプ室37内に壁状に突設されたリブ53に設けられた凹状の軸受部54に軸部が軸支され、操作凹部48を押動操作することにより、係合片状部51が回動するようになっている。また、操作部44の内面側には、下方に向けて突出し、外管21の外周面に突設されたボス56にて一端側が保持されたコイルスプリングなどの操作用付勢手段57の他端を保持するボスピン部58が突設されている。そして、操作部44は、操作用付勢手段57の付勢により、常時操作凹部48が窓部43を介して上方に突出した状態となっている。
【００２２】
また、係合ピン部46は外管21に設けられた挿通窓45に位置して配設され、有底略円筒状に形成され、開口側の端部近傍の外周面にはフランジ状に突出し操作部44の係合片状部51に当接する環状鍔部60が突設されている。そして、係合ピン部46は、カバー体36の下面に下方に向けて突設された棒状のガイド部61に内周側が嵌挿され、外管21の径方向に沿って挿通窓45を介してクランプ室37からガイド部61にて案内されて進退自在に配設されている。また、係合ピン部46は、ガイド部61が嵌挿され一端部がガイド部61の基端部に保持されたコイルスプリングなどの係合用付勢手段62がカバー体36の下面および係合ピン部46の環状鍔部60間に介在され、常時先端部が挿通窓45から突出する状態となっている。
【００２３】
さらに、外管21の内管22が進退する側の端部には、抜止部65、固定部66およびシール部材であるパッキング67を備えた抜止手段68が設けられている。そして、抜止部65は、外管21の端部内に嵌挿可能でかつ内周側に内管22を嵌挿可能な略円筒状に形成され、一端部には外管21の端部に当接するとともにクランプ室37の端部を閉塞するフランジ状の閉塞鍔部70が突設されている。また、抜止部65には、閉塞鍔部70のクランプ室37を閉塞する部分と反対側に軸方向に沿ってクランク状にスリット71が切欠形成されている。そして、抜止部65は、スリット71を開くように抜止部65を拡径することにより内周側にスリット71から内管22が嵌挿可能となっている。
【００２４】
また、この抜止部65の外周面には、外管21の挿通窓45に対向して係合ピン部46が挿通可能な略円形で、係合ピン部46の移動を案内する挿通孔73が穿設されている。さらに、抜止部65の挿通孔73と反対側の外周面には先端部が自由端の弾性舌片74が設けられ、この弾性舌片74の先端部には外管21に挿通窓45と反対側に位置して設けられた係合孔75に係脱可能に係合する係合突起部76が突設されている。
【００２５】
そして、抜止部65は、外周面にカバー体36を取り付けるねじ39が外管21に設けられたねじ孔38を嵌挿して先端部が係合される係合凹部77を有し、カバー体36とともにねじ39にて外管21に取り付けられている。
【００２６】
また、固定部66は、略円筒状に形成されて抜止部65と外管21の位置決め段部34との間に配設されている。そして、この固定部66には、抜止部65のスリット71と同様に軸方向に沿ってスリット状部80が切欠形成され、このスリット状部80を開くように固定部66を拡径することにより内周側にスリット状部80から内管22が嵌挿可能となっている。また、このスリット状部80のパッキング67を挟持する側と反対側の縁には、軸方向に向けて拡開するように円弧状の面に形成された案内部81，81を有した凹状に切り欠かれた切込部82が設けられている。
【００２７】
さらに、固定部66には、切込部82の端部縁に端面が連続し径方向に突出する突起部83が設けられている。なお、この突起部83は、抜止部65の外径寸法およびパッキング67の外径寸法と略同寸法となるように突出形成されている。
【００２８】
また、パッキング67は、ゴムなどの弾性部材にて環状の胴体部84aの内周面の略中央に内方にフランジ状に壁状部84bを突出して断面略Ｔ字状に形成されている。そして、パッキング67は、胴体部84aの外周面が外管21の内周面に密着し、壁状部84bの先端部の内周面が内管22の外周面に密着して外管21と内管22との間の嵌合部分の気密性を保持して内管22内を外気から気密に隔離するように、固定部66と抜止部65との間で外管21の挿通窓45より内管22の嵌挿する側に位置して挟持され、抜止手段68の略中央部分に位置する。
【００２９】
一方、内管22には、外周面に外管21に設けたクランプ42の係合ピン部46が係脱自在に係合する略円形凹状の係止凹部85が軸方向に沿って略等間隔に複数設けられている。また、内管22には、外管21に嵌挿する側の端部の外周面に径方向に突出するようにストッパ部86が一体的に設けられている。
【００３０】
そして、ストッパ部86は、固定部66の切込部82に対向する位置に外管21のレール部35内に摺動自在に挿入されて設けられ、外管21に対して内管22が回り止めされている。また、ストッパ部86は、内管22の周方向である幅寸法が、固定部66の切込部82の幅寸法と略同寸法あるいは若干幅狭に形成され、切込部82内に挿入可能で端面が切込部82の端部に当接するようになっている。そして、固定部66の切込部82内に挿入して切込部82の端部にストッパ部86が当接することにより、外管21に対して内管22が進出規制されて内管22が抜け止めされる。
【００３１】
また、内管22の外管21から進退する先端部の外周面には、連結クランプ室90を区画形成する端部カバー体91がねじ92などにて取り付けられている。そして、この連結クランプ室90内には、内管22の先端部に嵌挿された吸込口体18の連結管19の外周面に係合して接続状態を保持するクランプ23が配設されている。なお、端部カバー体91の端部が、抜止部65のクランプ室37を閉塞する部分の閉塞鍔部70に対向し、この外管21に一体的に取り付けられた抜止部65の閉塞鍔部70が端部カバー体91の端面に当接することにより、内管22の外管21への後退が規制される。
【００３２】
次に、上記実施の形態の延長管の組立動作について説明する。
【００３３】
あらかじめクランプ23を配設した内管22およびクランプ42を配設した外管21をそれぞれ形成する。そして、内管22に抜止手段68を取り付ける。すなわち、抜止手段68を構成する抜止部65および固定部66は、スリット71およびスリット状部80を開いて拡径させスリット71およびスリット状部80から抜止部65および固定部66の内周側に内管22を挿入して抜止部65および固定部66を内管22に嵌着させる。
【００３４】
また、抜止手段68を構成するパッキング67は、内管22の一端側から弾性に抗して拡径させて抜止部65および固定部66間に位置して内管22に嵌着させる。なお、これら抜止部65、パッキング67および固定部66を取り付ける際には、内管22の端部カバー体91側に、抜止部65の挿通孔73側および固定部66の切込部82側を位置させる。
【００３５】
この後、内管22をストッパ部86側から外管21のクランプ室37側より嵌挿するとともに、抜止手段68を外管21内に嵌挿、すなわち、固定部66を外管21内の位置決め段部34に当接させるとともに、抜止部65の閉塞鍔部70を外管21の端面に当接させる。なお、この抜止部65の嵌挿の際、抜止部65に設けた弾性舌片74の係合突起部76を外管21に設けた係合孔75に係合させる。この係合突起部76の係合孔75への係合により、外管21の挿通窓45と抜止部65の挿通孔73と、および、外管21のねじ孔38と抜止部65の係合凹部77とが位置合わせされる。
【００３６】
そして、外管21のクランプ室37にクランプ42を配設しつつカバー体36を外管21にねじ39にて固定する。このねじ39による固定の際、クランプ室37側に取り付けるねじ39は、外管21のねじ孔38を挿通し、先端部が抜止部65の係合凹部77に係合することにより、カバー体36が取り付けられるとともに、抜止部65も合わせて外管21に取り付けられ、抜止手段68が外管21に固定され、延長管20が組み立てられる。
【００３７】
次に、上記実施の形態の作用を説明する。
【００３８】
掃除時には、電気掃除機本体１とホース10と延長管20と吸込口体18とを互いに接続する。この状態で、電気掃除機本体１の図示しないコネクタ部の電気接点にホース10の接続管12のコネクタ部の電気接点であるピン端子が接触する。
【００３９】
そして、使用者は握り管13を持って、吸込口体18を被掃除物である床面上に載置し、電気掃除機本体１内の電動送風機を駆動させて吸込口体18を床面上で走行させる。この電動送風機の駆動により、吸込口体18の吸込口から吸い込まれた塵埃は、延長管20およびホース10を介して、電気掃除機本体１の集塵室に捕捉される。
【００４０】
なお、掃除作業者の身長、掃除時の姿勢や掃除場所、すなわち例えば床面用の吸込口体18を用いず、延長管20の先端に家具ブラシや鶴口などの吸込口体を接続して家具の上部やカーテンレールなどの高い場所を掃除する場合や、床などの低い場所を掃除するときは延長管20を伸し、机などの手元に近いやや高い場所を掃除するときは延長管20を縮めるなど、延長管20を適宜伸縮させて長さを調整する。
【００４１】
そして、この延長管20の伸縮は、外管21に設けたクランプ42の操作部44の操作凹部48を、操作用付勢手段57の付勢に抗してカバー体36の窓部43内に押し込むように操作する。この操作部44の操作により、操作部44は軸部を中心に回動し操作部44の係合片状部51が当接する環状鍔部60を有した係合ピン部46がガイド部61および外管21に一体的に取り付けた抜止部65の挿通孔73に案内されつつ延長管20の径方向に沿って外方に向けて移動される。そして、この内管22の係止凹部85に係合する係合ピン部46の移動により、係止凹部85から係合ピン部46が外れて内管22が外管21に対して摺動可能となる。
【００４２】
この後、操作部44を押し操作しつつ所定が略所定の長さとなるように外管21に対して内管22を摺動させ、操作部44の操作を解除する。この操作解除により、操作用付勢手段57および係合用付勢手段62の付勢により、窓部43から外方に突出するように操作部44が回動するとともに、係合ピン部46がガイド部61および挿通孔73に案内されつつ径方向に沿って挿通孔73から外管21の内方に没入するように移動し、係合ピン部46の突出する先端部が係止凹部85に再び係合して内管22の移動が規制され、延長管20は略所定の長さに保持される。なお、係合ピン部46の先端部が係止凹部85に対応しない場合には、操作部44の操作を解除した状態で適宜内管22を外管21に対して進退させる。この状態では、操作用付勢手段57および係合用付勢手段62の付勢により、係合ピン部46の先端部が内管22の外周面に押さえ付けられるように当接しているため、係合ピン部46の先端部の位置に係止凹部85が位置したときに、係合ピン部46の先端部が係止凹部85に係合する。
【００４３】
なお、延長管20を最短状態に縮めた際には、内管22の端部カバー体91の端部が抜止部65の閉塞鍔部70の端面に当接するとともに、内管22のストッパ部86が外管21のレール部35の端面に当接して移動規制され、この状態近傍で係合ピン部46が係止凹部85に係合する状態となっている。
【００４４】
また、延長管20を最長状態に延ばす場合には、内管22のストッパ部86が外管21に一体的に取り付けられた抜止手段68の固定部66の切込部82内に外管21のレール部35から切込部82の案内部81，81に案内されつつ挿入する。そして、切込部82内に挿入されたストッパ部86が固定部66の切込部82の端部に当接することにより、内管22の移動が規制されて外管21から抜け落ちることがなく、この状態近傍で係合ピン部46が係止凹部85に係合する状態となっている。
【００４５】
そして、掃除後には、電気掃除機本体１とホース10と延長管20と吸込口体18とを相互に分離して適当な場所に収納する。このとき、延長管20は最短状態に縮めて収納する。この状態では、内管22が外管21の内側に重なって外管21内に収容された状態となっているので、小さいスペースで延長管20を収納できる。
【００４６】
ところで、外管21の内周側は形成の際の型抜きのために抜きテーパを有している。このため、内管22を略同軸上に嵌挿する場合、内径が若干広い側に抜止手段68を設けてこの内径が若干広い側から内管22をがたつきなく進退させるように組み立てられる。したがって、がたつきなく内管22を嵌挿保持するためには、抜きテーパに対応して抜止手段68の長さ寸法を所定の長さ以上に形成しなければならず、固定部66の長さ寸法も必然的に所定の長さに設定される。
【００４７】
そして、延長管20を最短状態に縮めて掃除する際に、特に押動する際に床面に吸込口本体18を押しつけるような力が掛かるので、その反力により内管22の端部側が嵌合する抜止手段68を中心として回動して外管21の中心軸に対して内管22の中心軸が傾斜するように内管22が傾こうとする。なお、外管21は抜きテーパを有し、内管22の進出する側は内管22の外周面と若干の隙間を生じるが外管21の内管22が没入する側は内管22を隙間なく嵌合するので、延長管20の最短状態では、内管22の外管21に嵌挿する端部が外管21の内周面に当接する状態となり、内管22は傾かない。
【００４８】
一方、延長管20を最長状態に延ばして掃除する際に、同様に内管22に傾斜させる力が掛かると、図２に示すように、抜止手段68のクリアランスなどにより内管22が傾く。この内管22の傾きにより、内管22の外周面は抜止手段68の両端部の対向方向の内周縁に当接するような状態となる。このため、抜止手段68の内管22が当接する縁と径方向の反対側の縁には、内管22の外周面との間に隙間Ａが生じる。
【００４９】
また、パッキング67が位置する部分は、内管22が抜止手段68と当接する位置から隙間が生じる位置の端部までの抜止手段の軸方向の寸法となる距離より、内管22が抜止手段68と当接する位置からパッキング67の位置まで距離が略半分と短いので、パッキング67の位置する抜止手段68と内管22の外周面との間に生じる隙間Ｂも略半分と狭くなる。
【００５０】
したがって、パッキング67は、気密性を保持するために弾性変形の復元にて狭い隙間Ｂを吸収でき、気密性を保持できる。
【００５１】
このように、上記実施の形態によれば、内管22を嵌合し内管22のストッパ部86が当接することにより内管22を抜け止めする外管21の内周面に設けた略筒状の抜止手段68の軸方向の略中央にパッキング67を設けたため、内管22に傾ける力が掛かって外管21に対して内管22が傾いて抜止手段68と内管22との間に生じる隙間の寸法は、パッキング67の位置する抜止手段68の軸方向の中央部分で最も小さくなるので、パッキング67を肉厚に形成するなどして弾性変形の復元量を大きくして隙間を吸収させる必要がなく十分に隙間を吸収でき、気密性を保持できる。したがって、パッキング67を肉厚に形成するなどして内管22との密着性を増大させることによる内管22との摩擦力が増大して内管22の進退操作性が損なわれることを防止できる。
【００５２】
また、パッキング67を抜止部65と固定部66との間に挟持したため、１つのパッキング67で外管21と抜止手段68との間および抜止手段68と内管22との間の気密性を容易に保持できる。
【００５３】
さらに、パッキング67を外管21の挿通窓45よりも内管22が嵌挿する側に位置して設けたため、１つのパッキング67でも挿通窓45からカバー体36の窓部43を介して内管22内が外部と連通せずに気密性を保持できる。
【００５４】
また、パッキング67を胴体部84aと壁状部84bとにて断面略Ｔ字状に形成し、幅狭の壁状部84bの先端部分を内管22に密着させるようにしたため、壁状部84bの弾性変形性は胴体部84aに比して高いので、弾性変形させて内管22の外周面に嵌着させるパッキング67と内管22との摩擦力が小さくなり、内管22の進退性が向上し、延長管20の伸縮性を向上できる。
【００５５】
一方、抜きテーパに対応して抜止手段68の長さ寸法を所定の長さ以上に形成しなければならず、パッキング67を略中央に挟持させる固定部66の長さ寸法も必然的に所定の長さに設定されるため、内管22の進出する長さは、抜止手段68が長くなればなるほど短くなる。
【００５６】
また、内管22の外管21に嵌挿する側の端部にストッパ部86を設け、外管21の内管22が進出する側の端部に抜止手段68を構成する固定部66にストッパ部86が挿入し端部に当接することにより内管22が抜け止めされる切込部82を設けている。このため、必要最小長さに抜止手段68が設定されていても、切込部82内にストッパ部86が挿入されるので、この切込部82の切込分だけ内管22の進出量を増大でき、延長管20の伸縮割合を増大できるとともに、抜止手段68を所定長さに形成することにより、抜止手段68の強度を向上でき、ストッパ部86が当接する衝撃力により抜止手段68の損傷を防止できる。
【００５７】
また、切欠部82に拡開する案内部81，81を設けたため、切欠部82内に案内されて容易に挿入でき、切込部82およびストッパ部86の形状および位置の設計が容易にできる。
【００５８】
そして、ストッパ部86を径方向に突出させて外管21の内周面に設けたレール部35に摺動可能に設けたため、内管22の回り止めとしての作用も有する。
【００５９】
なお、抜止手段68が配設される部分では、レール部35を設けるスペースが確保しにくいが、固定部66に設けた突起部83にて固定部66は回り止めされ、レール部35から固定部66の切込部82内に挿入することにより、この切込部82にて内管22が回り止めされる。
【００６０】
さらに、固定部66にストッパ部86が当接する切込部82の端部に位置して突起部83を設けたため、切込部82の近傍の特にストッパ部86が当接する部分の強度を向上でき、ストッパ部86が強く当接しても固定部66が損傷することがない。
【００６１】
一方、内管22を進退自在に嵌挿する外管21に、内管22に係合して内管22の外管21に対する突出状態を保持するクランプ42を覆うカバー体36と、内管22の抜け止めを行う抜止手段68とを１つのねじ39で取り付けるため、カバー体36と抜止手段68とをそれぞれ取り付けるための複数の部材を用いる必要がなく１つの部材で取り付けでき、部品点数を減少でき組立製造性の向上、軽量小型化およびコストの低減が図れる。
【００６２】
また、内管22を嵌挿可能に略筒状に形成した抜止手段68のねじ39にて取り付けられる位置に対して径方向の反対側に外管21に設けた係合孔75に係脱可能な弾性舌片74の係合突起部76を設けたため、抜止手段68の外管21に取り付けるためのねじ39が係合する係合凹部77と外管21のねじ孔38とを容易に位置決めでき、組立製造性を向上できるとともに、抜止手段68はねじ39と弾性舌片74とにて径方向においてそれぞれ位置決め固定されるので、抜止手段68を確実に外管21に取り付けできる。
【００６３】
そして、部品点数が少なく組立製造性が向上し軽量化できるとともにコストが低減する延長管20を電気掃除機本体１に備えたため、安価に電気掃除機を提供できるとともに、延長管20の重量軽減および小型化による掃除の際の伸縮作業や取り回しが容易にでき、掃除作業性を向上できる。
【００６４】
また、抜止部65、パッキング67および固定部66にて内管22をがたつきなく抜け止めを行う抜止手段68を構成したため、簡単な構成で確実に外管21の内周面と内管22の外周面との間を隙間なく閉塞でき、確実に内管22内が外気から気密に隔離できることから、吸込効率を向上でき、効率よく掃除できる。
【００６５】
一方、内管22の外管21に対する突出状態を保持するクランプ42として、軸部にて回動自在の操作部44の一縁に係合片状部51を設けるとともに、この係合片状部51が係合する環状鍔部60を有した係合ピン部46を延長管20の径方向に移動可能に設けたため、係合ピン部46が係脱される内管22に設けた係止凹部85，85の形状が、係合ピン部46の先端部の形状と略同形状に形成するのみで、単に操作部44に一体的に設けた部分を回動操作により係脱させる場合に比して小さく形成でき、すなわち大きなクリアランスが不要で係合ピン部46と係止凹部85との係合状態を強固にできる。このため、係合ピン部46と係止凹部85とを確実に係合でき、掃除中に握り管13を押動した際に掛かる加重により縮んでしまうことなどを防止でき、確実に外管21に対する内管22の突出状態を保持できる。さらに、係合ピン部46の先端部の形状と略同形状の係止凹部85でも係止凹部85から係合ピン部46が外れにくくなることはなく、円滑な操作が得られるとともに、簡単な構成で各部位に外れにくくなることによる無理な力が掛からず、損傷を防止できる。
【００６６】
そしてさらに、この係合ピン部46は、ガイド部61および挿通孔73に案内されて移動する構成としたため、係合ピン部46が円滑に移動でき、円滑な操作が得られるとともに、各部位に無理な力が掛かることによる損傷を防止できる。
【００６７】
なお、上記実施の形態において、抜止手段69として抜止部65、パッキング67および固定部66にて構成して説明したが、例えば抜止部65および固定部66を一体に形成して構成した抜止手段68の外周面と内周面とにそれぞれパッキング67を取り付けるなどしてもよい。
【００６８】
また、内管22の外管21に対する突出状態を保持する係合手段としては、クランプ42に限らずいずれの構成でもできる。
【００６９】
さらに、吸込口体18に回転清掃体などを回転駆動させる電動機を設けた場合には、内管21の連結クランプ室90の端部に接点を設けるとともにこの接点とリード線などにより電気的に接続されホース10の握り管13に設けた接線と接続される接点を外管21の接続管部31側の端部に設けて延長管を構成するものに用いても同様の効果が得られる。
【００７０】
そして、キャニスタ型の電気掃除機について説明したが、アップライト型などいずれの電気掃除機でも同様の効果が得られる。
【００７１】
そして、抜止手段68に当接して抜け止めするストッパ部86はいずれの形状でもできる。すなわち、例えば内管22の端部に径大に鍔状にフランジ部を形成し、このフランジ部の固定部66と対向する端面に対向方向に舌片状に突出して切込部82に挿入する突部を設けるなどいずれの形状でもできる。なお、この構成によれば、ストッパ部86と内管22との接合強度を容易に向上できる。
【００７２】
【発明の効果】
請求項１記載の延長管によれば、内管を嵌合し内管に設けたストッパ部が当接して内管を抜け止めする外管の端部にて内周面に設けた略筒状の抜止部と、内管を嵌合しこの内管のストッパ部が当接することにより内管を抜け止めする略筒状の固定部の間にて抜止手段の軸方向の略中央に外管および内管間の気密性を保持するシール部材を挟持したため、内管に傾ける力が掛かって外管に対して内管が傾いて抜止手段と内管との間に生じる隙間の寸法は、シール部材の位置する抜止手段の軸方向の中央部分で最も小さくなるので、シール部材の弾性変形の復元にて容易に吸収でき、気密性を保持できるとともに、１つのシール部材で外管と内管との間の気密性を容易に保持できる。
【００７３】
請求項２記載の電気掃除機によれば、内管が傾いても隙間が小さく容易にシール部材の弾性収縮により吸収に気密性を保持できる請求項１記載の延長管を備えているため、漏れがなく掃除作業性を向上できる。
【図面の簡単な説明】
【図１】  本発明の延長管の実施の一形態を示す最短状態の側面断面図である。
【図２】  同上最長状態で内管が傾いた状態を示す断面図である。
【図３】  同上延長管を電気掃除機本体に接続した状況を示す斜視図である。
【図４】  従来例の延長管を示す一部を切り欠いた側面図である。
【図５】  同上最長状態で内管が傾いた状態を示す断面図である。
【符号の説明】
20    延長管
21    外管
22    内管
65    抜止部
66    固定部
67    シール部材としてのパッキング
68    抜止手段
86    ストッパ部
【図１】
0003651635.tif 000002
【図２】
0003651635.tif 000003
【図３】
0003651635.tif 000004
【図４】
0003651635.tif 000005
【図５】
0003651635.tif 000006